(57)【要約】少なくとも２つのバンド（Ｂ１、Ｂ２）を１つ以上のパケット（Ｐ）周辺に配置するための装置であって、実質的にフレーム（１）と、前記フレームによって支持されており、前記パケットを前方に移動させるための置きコンベヤベルト（２）と、相互に離れたり近づいたりして前記コンベヤベルトに対して横方向に移動し、かつストラップバンド（Ｂ１、Ｂ２）用の関連供給リールに接続されているバンドクランプ／ガイド手段と、相互に移動した前記バンドを共に溶接するための溶接手段（７、８）とからなる装置において、第１のグループのバンドクランプ／ガイド手段が第１のバンドタイプ用の第１のペアのジョー（７）を有し、第２のグループが第２のバンドタイプ用の第２のペアのジョー（８）を有し、これらのグループは一方が他方の上になるように配置されている装置。このように、前記１つ以上のパケットは、本発明に従った装置による１つの通路を介して、特定のタイプの２つ以上のバンドにストラッピングされて、例えば必要な強度を受けることが可能である。
2006504588.tif 000002
【特許請求の範囲】
【請求項１】
少なくとも２つのバンドを１つ以上のパケット周辺に配置するための装置であって、実質的にフレームと、前記フレームによって支持されており、前記パケットを前方に移動させるための置きコンベヤベルトと、相互に離れたり近づいたりして前記コンベヤベルトに対して横方向に移動し、かつストラップバンド用の関連供給リールに接続されているバンドクランプ／ガイド手段と、互いに移動した前記バンドを共に溶接するための溶接手段とからなる装置において、第１のグループのバンドクランプ／ガイド手段が第１のバンドタイプ用の第１のペアのジョーを有し、第２のグループは第２のバンドタイプ用の第２のペアのジョーを有し、これらのグループは一方が他方の上になるように配置されていることを特徴とする装置。
【請求項２】
前記バンドのうちの１つがフィルムタイプであることを特徴とする、請求項１に記載の装置。
【請求項３】
前記第２のバンドが前記第１のバンドよりも幅が広いことを特徴とする、請求項１または２に記載の装置。
【請求項４】
前記第１のペアのジョーの各々が、移動方向に対して横方向に稼動し、かつ前記ジョーの一方によって搬送された中間体の対向面と相互作用するクランプ表面を有し、前記表面の少なくとも一方は、引張り方向と反対方向にある歯状突起を具備していることを特徴とする、請求項１ないし３のいずれか１項に記載の装置。
【請求項５】
前記第２のペアのジョーの各々が、移動方向に対して横方向に稼動し、かつモータ駆動供給ロールと各場合において相互作用するガイド表面を有することを特徴とする、請求項１ないし４のいずれか１項に記載の装置。
【請求項６】
前記バンドタイプの一方にラベルが具備されていることを特徴とする、請求項１ないし５のいずれか１項に記載の装置。
【請求項７】
少なくとも２つのバンドを、一方が他方の上になるように１つ以上のパケット周辺に配置するための方法であって、供給ロールから各場合において広げられた２つのバンドをその外端で共に固定することによって形成された各バンドが各パケットの周辺にＵ字形にされ、それによって、Ｕ字形の各パケット周辺に延びている各ペアのバンド部分はオブジェクトに沿って相互に押されて、相互に接着され、バンドが各ペアの供給ロール間で再び延びるように切断される方法であって、前記タイプの前記少なくとも２つのバンドは前記１つ以上のパケットの高さに従って選択され、相互に押されている前記２つのバンド部分の各々は固定的にクランプされ、相互に移動され、共に溶接され、かつ分離されることを特徴とする方法。
【請求項８】
一方が他方の上になるように配置される前記バンドの各々は、同時にかつ１つの動きで固定的にクランプされ、共に溶接され、かつ分離されることを特徴とする、請求項７に記載の方法。
【請求項９】
一方が他方の上になるように配置される前記バンドの各々は、連続的に検索され、固定的にクランプされ、共に溶接され、かつ分離されることを特徴とする、請求項７に記載の方法。
【発明の詳細な説明】
【技術分野】
【０００１】
本発明は、少なくとも２つのバンドを１つ以上のパケット周辺に取り付けるための装置であって、実質的にフレームと、フレームで支持されて、パケットを前方に移動させるための置きコンベヤベルトと、相互に離れたり近づいたりしてコンベヤベルトに対して横方向に移動し、かつストラップバンド用の関連供給リールに接続されているバンドクランプ／ガイド手段と、相互に移動したバンドを共に溶接するための溶接手段とからなる装置に関する。
【背景技術】
【０００２】
バンドを使用して多数のパケットをストラッピングするためのこのような装置は、例えば、出願人の名において特許ＮＬ７３１４３１２号およびＥＰ９８２０２２３４号に記載されている。これらの実施形態は、該装置は、同一タイプの１つ以上のバンドを該１つ以上のパケットの通路ごとに配置することにしか適していないという欠点がある。特に高いパケットがストラップされなければならない場合、従来技術によれば、ストラップするパケットは異なる装置を通過しなければならない。
【発明の開示】
【発明が解決しようとする課題】
【０００３】
本発明の目的は、異なるタイプの２つ以上のバンドをパケットの１つの通路に配置してストラップし、パケットにラベルを具備することができる装置および方法を提供することである。
【課題を解決するための手段】
【０００４】
このために、本発明は、第１のバンドタイプ用の第１のペアのジョーを有する第１のグループのバンドクランプ／ガイド手段と、第２のバンドタイプ用の第２のペアのジョーを有する第２のグループとによって特徴付けられており、これらのグループは一方が他方の上に配置されている。
【０００５】
このようにして、１つ以上のパケットは、本発明の装置に従った１つの通路を介して、特定のタイプの２つ以上のバンドにストラッピングされて、例えば必要な強度を受けることが可能である。
【０００６】
２つのバンドでのストラッピングに関する第１の実施形態によると、２つの下部バンド部分と２つの上部バンド部分は１つの動きによって相互に移動し、これによって両方のペアのバンド部分は、例えばＮＬ７３１４３１２号に記載されているように固定的にクランピングされて、既知の方法で分離および溶接される。
【０００７】
２つのバンドでのストラッピングに関する第２の実施形態によると、上部バンド部分がまず相互に移動し、分離かつ溶接されて、その後溶接手段のキャリアが下部バンド部分の方に下方に移動し、これらは分離かつ溶接される。この第２の実施形態は、任意のタイプのバンド用の溶接手段を具備した１つのキャリアだけで足りるという利点を有する。
【０００８】
さらに、両実施形態は、３つ以上のバンドをストラッピングするための装置に容易に拡大可能である点が明らかである。
【０００９】
１グループのバンドクランプ／ガイド手段は好ましくは、フィルムタイプのバンドに適している。このタイプのバンドは、例えばテキストを印刷したり、それにラベルを添付したりすることによって識別手段を容易に具備することができるという利点を有する。他方で、このタイプのバンドは標準的なストラップバンドよりも高価であり、また一般的にこのタイプのバンドにラベルのみを配置すればよいため、より安価なタイプが他のバンドに選択可能である。
【００１０】
一実施形態によると、第２のバンドは第１のバンドよりも幅が広く、幅の広い方のバンドは、例えば識別手段を実際に具備することが可能である。
【００１１】
本発明に従った装置の第１の好ましい実施形態において、第１のペアのジョーの各々は、移動方向に対して横方向に稼動し、かつジョーのうちの一方によって搬送される中間体の対向面と相互作用するクランプ表面を有し、表面のうちの少なくとも１つは、引張り方向と反対方向にある歯状突起を具備している。
【００１２】
本発明の別の特徴によると、例えばフィルムタイプのバンドの配置に適している第２のペアのジョーの各々は、移動方向に対して横方向に稼動し、かつモータ駆動供給ロールと各場合において相互作用するガイド表面を有する。コンベヤベルトの速度およびロールの速度の設定は、フィルムが、ランダムに調整可能な張力によってパケット周辺に配置可能であることを保証する。
【００１３】
本発明はさらに、１つ以上のパケットに少なくとも２つのバンドを、一方を他方の上になるように配置するための方法であって、各場合において供給ロールから広げられた２つのバンドをその外端で共に固定することによって形成されている各バンドが各パケット周辺でＵ字形にされ、これによってＵ字形に各パケット周辺に延びている各ペアのバンド部分は、オブジェクトに沿って相互に押され、相互に接着されて、バンドが各ペアの供給ロール間で再び延びるように切断される方法に関する。
【００１４】
該方法は、少なくとも２つのバンドが１つ以上のパケットの高さに従って選択され、相互に押されている２つのバンド部分の各々が固定的にクランプされて、相互に移動され、共に溶接されて、かつ分離されることによって特徴付けられている。
【００１５】
本方法によって、１つ以上のパケットをその通路において少なくとも２つのバンドによって固定的にストラップすることが可能になり、バンドのタイプはパケットの高さ部分に関連している。
【００１６】
本発明に従った方法の第１の変形例によると、一方が他方の上になるように配置されるバンドの各々は、同時にかつ１つの動きによって、固定的にクランプされ、共に溶接され、かつ分離される。
【００１７】
本発明に従った方法の別の変形例によると、一方が他方の上になるように配置されるバンドの各々は連続的に検索され、固定的にクランプされ、共に溶接され、かつ分離される。このように、同一タイプの各バンドを配置するには一対のクランプ／溶接ジョーのみで足りる。
【００１８】
本発明を添付の図面を参照してさらに説明するが、図中において、本発明に従った装置の多数の実施形態が示されている。
【発明を実施するための最良の形態】
【００１９】
第１の実施形態によると、図１に示されているように、当業者はこのフレームをランダムな形状にできることを理解するであろうが、該装置はポータル状フレーム１を有する。ポータルの下で、矢印１の方向にストラップするパケットＰを移動させるコンベヤベルト２が稼動している。
【００２０】
配置するバンドＢ１およびフィルムＢ２はそれぞれ供給リール３および４から引き出され（矢印Ｐ２参照）、抵抗機構およびリターンプーリ（図示せず）を介してクランプ／溶接ジョー７および８に案内される。対応する構成がポータルの他方の側に見られる。２つのバンドが１つの動きによって相互に移動する場合に同一のサポートに等しく搭載されることが明らかであるが、図面において、溶接ジョー７および８は各々分離サポートフレームを具備している。
【００２１】
バンドＢ１およびフィルムＢ２の両端はそれぞれ、各場合において、９および１０において共に溶接されている。クランプ／溶接ジョー７、８は相互に移動し、バンドＢ１およびフィルムＢ２は、ストラップするパケットＰの後側に対する張力によって配置されている。
【００２２】
そしてバンドＢ１およびフィルムＢ２は各側に固定的にクランプされることによって、バンドおよびフィルムは両側を切断されて、対応するバンドおよびフィルム端が共に溶接される。
【００２３】
本実施形態においてストラップタイプのバンドＢ１の各クランピングジョー７は、張力が原因のスリップを防止するために引張り方向と反対方向に歯状突起を具備したクランピング表面によって都合よく具現化される。このようなクランピングジョーは、欧州特許出願ＥＰ９８２０２２３４号に詳細に記載されている。
【００２４】
本実施形態においてフィルムタイプのバンドＢ２の各クランピングジョー８は、移動方向に対して横方向に稼動し、かつモータ駆動供給リール４と各場合において相互作用するガイド表面を有する。コンベヤベルト２の速度およびロール４の速度の設定は、フィルムがランダムに調整可能な張力によってパケット周辺に配置可能であることを保証する。
【００２５】
第２の実施形態が図２に示されている。フレーム１は各側に、クランプ／溶接手段を備えたサポートフレームを１１を具備しており、このサポートフレームは図３に詳細に示されている。
【００２６】
サポートフレームの上部に、フィルムタイプのバンドＢ２用のガイド／溶接手段８が配置されているのに対して、ストラップタイプのバンドＢ１用のクランプ／溶接手段７が底部に形成されている。後者は、２パートのスリーブ状ハウジング１４に形成されている左右溶接ジョー１３、１３’を有する。バンド部分Ｂ１はそれぞれのガイド表面１５、１５’上を案内される。これらのジョーの全コンポーネントに関する詳細な説明のために、特許ＥＰ０  ８９０  ５１０号を参照する。
【００２７】
図２に示されているように、フレーム１は、サポートフレーム１１が接続されているモータビーム１２を具備しており、このビーム１２は、サポートフレーム１１の高さを調整できるように、矢印Ｐ４で示されているようにコントロール手段を使用して上下に移動可能である。コントロール手段は同様にさらに、矢印Ｐ５の方向に相互にサポートフレーム１１を搬送するために提供されている。
【００２８】
一方が他方の上になるように配置されるバンドの各々が連続的に検索され、固定的にクランプされ、共に溶接され、かつ分離される本発明の方法が図４および５を参照して示されている。図４のステップ（ａ）は、ストラップタイプのバンドＢ１が検索されて、ガイド手段によって取り上げられるステップを示している。そして、ステップ（ｂ）および（ｃ）に示されているように、下部ペアの溶接ジョーが相互に係合されるまで、両サポートフレームは相互に移動される。ステップ（ｃ）において、バンド部分は相互に接着されて、かつ分離される。そしてストラップタイプのバンドＢ１は１つ以上のパケット周辺にシールされ、また相互に固定されているその端によって供給ロール３からのバンドパーツから分離され、サポートフレームは相互に離れて後方に移動し（ステップ（ｄ））、次のバンドが検索される。
【００２９】
図５は、フィルムタイプのバンドが取り上げられる場合のサポートフレーム１１の動きの異なるステップを示している。ステップ（ｂ）および（ｃ）に示されているように下部ペアのガイド／溶接ジョーが相互に係合するまで両サポートフレーム１１は相互に移動し、それによって上部ペアのガイドジョー８はステップ（ｄ）に示されているように相互に移動する。そしてバンド部分は相互に接着され、かつ分離される。そしてフィルムタイプのバンドＢ２は１つ以上のパケット周辺に閉じられ、また相互に固定されているその端によってモータ供給ロール４からのバンドパーツから分離されて、サポートフレーム１１は相互に離れて後方に移動可能であり（ステップ（ｄ））、次のバンドが検索可能であり、またはストラップパケットは、全バンドＢ１、Ｂ２が配置されている場合に、さらに輸送可能である。
【００３０】
本発明は上記の実施形態に限定されるものではなく、従って、例えば装置に、３つの異なるバンドタイプが配置可能となる３グループのバンドクランプ／ガイド手段を提供することもまた可能である。
【図面の簡単な説明】
【００３１】
【図１】本発明に従った装置の第１の実施形態の斜視図を示している。
【図２】本発明に従った装置の第２の実施形態の斜視図を示している。
【図３】図２に示されている実施形態のバンドクランプ／ガイド手段の詳細な斜視図である。
【図４Ａ−４Ｄ】本発明に従った方法の可能な実施形態における、図２に示されている実施形態のバンドクランプ／ガイド手段の斜視図を示している。
【図５Ａ−５Ｅ】本発明に従った方法の可能な実施形態における、図２に示されている実施形態のバンドクランプ／ガイド手段の斜視図を示している。
【図１】
2006504588.tif 000003
【図２】
2006504588.tif 000004
【図３】
2006504588.tif 000005
2006504588.tif 000006
2006504588.tif 000007
2006504588.tif 000008
2006504588.tif 000009
2006504588.tif 000010
【国際調査報告】
2006504588.tif 000011
2006504588.tif 000012
2006504588.tif 000013